(57)【要約】【課題】手指を添えることにより、確りと位置決め支持できて使い勝手の良いピンセットを得る。【解決手段】一対の挟み脚１に一対の指当て２がそれぞれ装着されている。各指当て２は、各挟み脚１の外側面に取り付けられる垂直状の取付片３と、取付片３の下端から外側方に延出する水平状の翼片４とからなる。各指当て２の取付片３は、各挟み脚１に横軸５を介して回動自在に取り付ける。【選択図】　　　図１
2004042147.tif 000002
【特許請求の範囲】
【請求項１】
一対の挟み脚１に一対の指当て２がそれぞれ装着されており、
各指当て２が、各挟み脚１の側面に取り付けられる垂直状の取付片３と、取付片３の上下の一端側から外側方に延出する水平状の翼片４とからなることを特徴とするピンセット。
【請求項２】
各指当て２が、合成ゴムまたは軟質合成樹脂で成形されている請求項１記載のピンセット。
【請求項３】
各指当て２の取付片３が、各挟み脚１に横軸５を介して回動自在に取り付けられている請求項２記載のピンセット。
【請求項４】
各指当て２の取付片３の内面に、横軸５が一体に突設されており、
各挟み脚１に孔７が貫通状に形成されており、
各指当て２の取付片３を各挟み脚１の外側面１ａに当てて前記横軸５を前記孔７に抜け止め状に嵌入係合することにより、
各指当て２が、各挟み脚１に横軸５を介して回動自在に取り付けられている請求項３記載のピンセット。
【発明の詳細な説明】
【０００１】
【発明の属する技術分野】
本発明は、精密機械などの組み付けに際し、小部品をつかむのに好適なピンセットに関する。
【０００２】
【従来の技術】
この種ピンセットの従来例に、実公昭４１−２０７９号公報、実開昭６１−１８４６６２号公報、実開平３−４００６８号公報、実開平４−７７２５３号公報、実公平１−１９４４０号公報などがある。
【０００３】
これらの従来例では、ピンセットの挟み脚に指先止め具を備えており、この指先止め具に指先を通すことにより、手指に対してピンセットの挟み脚を位置決め保持し、以て一対の挟み脚の先端で小部品をつかめるようになっている。
【０００４】
【発明が解決しようとする課題】
しかし、いずれの従来例も、指先止め具に作業者の指先を通す形態であるため、指先止め具が指先の大小や動きに対応し切れず、指先に圧迫感を覚えるなどの不具合が認められた。
【０００５】
そこで本発明の目的は、一対の挟み脚の持ち手部分を確実に位置決め保持でき、指先に一切の抵抗感がなく、長時間の細かい部品つかみ作業でも手指や手首に疲れを覚えることのないピンセットを提供することにある。
【０００６】
【課題を解決するための手段】
本発明のピンセットは、一対の挟み脚１に一対の指当て２がそれぞれ装着されており、各指当て２が、各挟み脚１の側面に取り付けられる垂直状の取付片３と、取付片３の上下の一端側から外側方に延出する水平状の翼片４とからなることを特徴とする。その各指当て２は、合成ゴムまたは軟質合成樹脂で成形することができる。
【０００７】
各指当て２の取付片３は、各挟み脚１に横軸５を介して回動自在に取り付けられている。具体的には、各指当て２の取付片３の内面に、横軸５が一体に突設されており、各挟み脚１に孔７が貫通状に形成されており、各指当て２の取付片３を各挟み脚１の外側面１ａに当てて前記横軸５を前記孔７に抜け止め状に嵌入係合することにより、各指当て２が、各挟み脚１に横軸５を介して回動自在に取り付けられている。
【０００８】
【発明の作用効果】
本発明によれば、各指当て２の翼片４が各挟み脚１の外側方に延出しているので、取付片３および特に翼片４に作業者の指先部分を当て付けることにより、作業者の手にピンセットの全体を確りと位置決め保持できる。そこでは、作業者の指先を各指当て２に通す形態ではないから、作業者の指の大小に関係なく対応でき、かつ指先の動きが制約されることもない。従って、小部品を長時間つかむ手作業にも疲れを覚えることがない利点を有する。
【０００９】
指当て２が合成ゴムまたは軟質合成樹脂で成形されていると、指当て２が作業者の指先の形状や微妙な動きに追従して弾性変形できるので、作業者の手指を指当て２に対して常に柔らかくフィットさせることができる。
【００１０】
そのうえで、各指当て２の取付片３が各挟み脚１に横軸５を介して回動自在に取り付けられていると、作業者の指先の形状や大きさに合わせて指当て２を好適な取り付け角度にセットできるので、ピンセットの全体を手指で確りと安定良く支持でき、一切の違和感なく小部品のつかみ作業が円滑に行えることになる。
【００１１】
その際、各指当て２の取付片３の内面に横軸５を一体に突設し、各挟み脚１に設けた孔７に横軸５を抜け止め状に嵌入係合することにより、各挟み脚１に各指当て２が横軸５を介して回動自在に取り付けられた構造によれば、必要最小限の部材点数で各挟み脚１に各指当て２を簡単に取り付けることができる利点を有する。
【００１２】
【発明の実施の態様】
図面は、本発明に係るピンセットの実施例を示しており、左右一対のステンレス鋼板製の挟み脚１・１を有し、両挟み脚１・１は、後端部が接合下でスポット溶接されている。各挟み脚１は、ステンレス鋼板に四ふっ化ポリエチレン樹脂を全面的にコーティングして粘着シール材などが付着しても剥ぎ取りやすいように表面加工をしてある。
【００１３】
各挟み脚１は、後半部分が上下広幅で、先端側が尖鋭状に形成されており、各挟み脚１の前後長手方向のほぼ中央部位が持ち手部分になる。この持ち手部分に、左右一対の指当て２・２がそれぞれ装着されている。各挟み脚１における指当て２の装着部位は上下広幅になっている。
【００１４】
各指当て２は、合成ゴムまたは軟質合成樹脂の成形品であり、各挟み脚１の外側面１ａに添う垂直状の取付片３と、この取付片３の下端から横外側方に向けて一体に張り出し形成された水平状の翼片４とからなるＬ字形状を呈している。
【００１５】
各指当て２は、各挟み脚１に対して取付片３が横軸５を介して回動自在に取り付けられる。
【００１６】
すなわち、各挟み脚１の持ち手部分には、外側面１ａに円形のボス６を突出形成し、該ボス６の中央に、前後方向に長い小判形の孔７を貫通状に設け、該持ち手部分の内面には孔７まわりに円形の凹み９が形成されている。凹み９は、円形ボス６を外側方に向かって打ち出し加工する際に同時に形成される。
【００１７】
一方、各指当て２の取付片３の上部寄り内面には、円形の内凹み部１０を設け、この内凹み部１０の中央に横軸５を一体に突設する。横軸５は、先端を径大化した茸状に形成されており、細頸部５ａが丸軸状に形成され、先端部５ｂが上下方向に長い小判形に形成されている。
【００１８】
具体的には、各挟み脚１の前後長さが１２３ｍｍのピンセットにおいて、これの後端から前方に向けて６７ｍｍの部位に突出量が１ｍｍの円形ボス６を設け、該ボス６に上下幅が３ｍｍで左右長さが６ｍｍの孔７を設けた。
【００１９】
一方、各指当て２の取付片３は、厚みを２．５ｍｍ、翼片４の下面からの最大高さを２２．５ｍｍ、前後幅を１８ｍｍとし、下端から１２．５ｍｍの高さ位置に横軸５の中心を設定し、横軸５の細頸部５ａの直径を３ｍｍとし、先端部５ｂは前後幅を３ｍｍ、上下長さを６ｍｍに設定した。また各指当て２の翼片４は、厚みを２．５ｍｍ、前後幅を１８ｍｍ、取付片３の内面からの最大側方突出量を２１ｍｍにそれぞれ設定した。
【００２０】
各挟み脚１に各指当て２を取り付けるに際しては、図１に示すごとく各挟み脚１の円形ボス６に各指当て２の取付片３を直交状態で当て、円形ボス６に取付片３の内凹み部１０を嵌合すると同時に、取付片３の横軸５の先端部５ｂを円形ボス６の孔７に嵌入係合し、各挟み脚１に対して各指当て２を翼片４が下方に位置するよう回わす。これで、横軸５の先端部５ｂが、各挟み脚１の前記凹み９内にあって前記孔７まわりの開口内周縁部に受け止められる。
【００２１】
つまり、各指当て２は各挟み脚１に横軸５を介して抜け止め状に、しかし横軸５まわりには回動自在に取り付けられる。この取り付け使用状態において、下方に位置する翼片４の下面は、挟み脚１の下端縁より突出している。
【００２２】
図４は本発明に係るピンセットの代表的な使用例を示す。これでは、親指の腹側を上方から一方の指当て２の取付片３の外側面と翼片４の上面とに跨いで当てるとともに、人差指の腹側を上方から他方の指当て２の取付片３の外側面と翼片４の上面とに跨いで当て、中指で両指当て２・２の翼片４・４の下面を受け止め、三指でピンセットを挟み持っている。その際、各挟み脚１に対して各指当て２は、指当たりの良い取り付け角度になるよう横軸５まわりに回動操作される。
【００２３】
図５はピンセットの別使用例を示しており、全体を上下反転させて、親指と人差指とが下方から各指当て２の取付片３と翼片４とに跨ぐ状態で当てることにより、親指と人差指とでピンセットを挟み持っている。
【００２４】
図６はピンセットの更に異なる使用例を示す。これでは、両挟み脚１・１に対して一方の指当て２は翼片４が下方に位置し、他方の指当て２は翼片４が上方に位置するようにセットする。そして、一方の指当て２は、親指と中指とで上下から挟み持ち、他方の指当て２は人差指で受けるようになっている。
【００２５】
本発明のピンセットは、上記の代表的な使用例で判るように、左右いずれの手でも、作業者の好みに応じて両指当て２・２を作業者の手指に都合の良い当たり具合になるよう角度調整できるし、指先の動きに伴う微妙な当たり具合は各指当て２の弾性でも柔軟なフィット感覚で微調整することができる。
【００２６】
なお、図示例では各挟み脚１に対して各指当て２が、いずれの取り付け角度にあっても、その姿勢を確保できるよう、孔７および細頸部５ａの寸法を設定したが、各挟み脚１に各指当て２が自由回転状態（ブラブラ状態）で支持されていてもよい。
【００２７】
各挟み脚１に各指当て２は、別部材でリベット止めをしてもよく、そのリベットが本発明の横軸５になっていてもよい。
【図面の簡単な説明】
【図１】全体の分解斜視図
【図２】ピンセットの正面図、背面図、右側面図、平面図、底面図
【図３】図２の正面図におけるＡ−Ａ線端面図
【図４】代表的な使用例を示す斜視図
【図５】他の使用例を示す斜視図
【図６】更に別の使用例を示す斜視図
【符号の説明】
１　挟み脚
１ａ　外側面
２　指当て
３　取付片
４　翼片
５　横軸
５ａ　細頸部
５ｂ　先端部
６　円形ボス
７　孔
９　凹み
１０　内凹み部
【図１】
2004042147.tif 000003
【図２】
2004042147.tif 000004
【図３】
2004042147.tif 000005
【図４】
2004042147.tif 000006
【図５】
2004042147.tif 000007
【図６】
2004042147.tif 000008
【手続補正書】
【提出日】平成15年3月7日(2003.3.7)
【手続補正１】
【補正対象書類名】明細書
【補正対象項目名】特許請求の範囲
【補正方法】変更
【補正の内容】
【特許請求の範囲】
【請求項１】
一対の挟み脚１に、合成ゴムまたは軟質合成樹脂で成形された一対の指当て２がそれぞれ装着されており、
各指当て２が、各挟み脚１の外側面１ａに添う垂直状の取付片３と、取付片３の上下の一端側から横外側方に向けて一体に張り出し形成された水平状の翼片４とからなるＬ字状を呈しており、
各挟み脚１の持ち手部分には、その外側面１ａに円形のボス６を突出形成して、この円形ボス６の中央に、前後方向に長い小判形の孔７を貫通状に設け、
各挟み脚１の持ち手部分の内面には、前記孔７まわりに円形の凹み９が形成されており、
各指当て２の取付片３の内面には、円形の内凹み部１０を設け、この内凹み部１０の中央に横軸５が一体に突設されており、
横軸５は、先端を径大化した茸状に形成されて、細頸部５ａが丸軸状に形成され、先端部５ｂが上下方向に長い小判形に形成されており、
各指当て２の取付片３を各挟み脚１の外側面１ａに直交状態で当てて、円形ボス６に取付片３の内凹み部１０を嵌合すると同時に、前記横軸５の先端部５ｂを前記孔７に嵌入係合し、各挟み脚１に対して各指当て２を翼片４が下方または上方に位置するよう回すことにより、
各指当て２が、各挟み脚１に横軸５を介して抜け止め状に、しかし横軸５まわりには回動自在に取り付けられていることを特徴とするピンセット。
【請求項２】
各挟み脚１の持ち手部分の外側面１ａには、円形ボス６が打ち出し加工で突出形成されており、
各挟み脚１の持ち手部分の内面には、円形の凹み９が円形ボス６を外側方に向かって打ち出し加工する際に同時に形成されている請求項１記載のピンセット。